(57)【要約】【課題】  一番竿等の小径側の筒状体が手元側筒状体内に先行して落下することを阻止して、筒状体の剥離現象を阻止することのできる玉の柄を提供する点にある。【解決手段】  小径の一番筒状体１、中間径の中間筒状体２、及び、大径の手元側筒状体４を振出操作自在に装備するとともに、中間筒状体２の筒状体尻端に中子栓３を設けてある。【選択図】        図２
2006223182.tif 000002
【特許請求の範囲】
【請求項１】
小径の一番筒状体、中間径の中間筒状体、及び、大径の手元側筒状体を振出操作自在に装備するとともに、前記中間筒状体の筒状体尻端に中子栓を設けてある振出式の玉の柄。
【請求項２】
前記中間筒状体に対して伸長状態に嵌合保持されるとともに前記中間筒状体内に収納される状態に切換え可能な小径側の筒状体の尻端外径を基準にして、前記中間筒状体に備えられる中子栓に形成する水抜き孔の孔径を前記尻端外径より小さくしてある請求項1記載の振出式の玉の柄。
【請求項３】
前記中間筒状体が複数本装備されており、各中間筒状体に中子栓を備えてある請求項１又は２記載の振出式の玉の柄。
【発明の詳細な説明】
【技術分野】
【０００１】
本発明は、先端に釣り上げた魚を海面より掬い取るタモ網を取り付ける玉の柄に関する。
【背景技術】
【０００２】
玉の柄は、小径の一番筒状体から中間径の中間筒状体を挟んで大径の手元側筒状体を振出操作自在に装備したものである。このように、玉の柄は振出操作自在に構成されているので、一番筒状体から中間筒状体までの筒状体を手元側筒状体内に収納した収納状態と各筒状体を手元側筒状体より引き出して伸長させた伸長状態とに切り換えることができるものである。海中より魚等を掬い上げる場合には、伸長状態に切り換えて玉網を海面近くまで寄せて掬い上げるものである。
このように、魚を掬い上げようとする場合には、一方の手で魚を釣り上げた釣り竿を支持しながら、他方の手で玉の柄の手元側筒状体の部分を握って筒状体全体を前方に押し出すように振り出す操作を行う。
一方、中間筒状体、手元側筒状体は、小径側の筒状体を竿尻端側より引き出してメインテナンス作業が行えるように、分解可能な構成を採っており、そのために中間筒状体、手元側筒状体は竿尻端に開口が形成されている（特許文献１参照）。
【０００３】
【特許文献１】特開２００４−１２９５３２号公報（段落番号〔０００３〕〔００２７〕、図１）
【発明の開示】
【発明が解決しようとする課題】
【０００４】
図４に示すように、中間筒状体２Ａ、２Ｂは各筒状体尻端が開口された状態であるので、玉の柄Ａの各筒状体１，２を伸長状態に切り換え魚を掬い上げるために、手元側筒状体４を振って各中間筒状体２Ａ、２Ｂや一番筒状体１を手元側筒状体４から飛び出させる振り出し操作を行うと、直ぐには、中間筒状体２Ａ、２Ｂ等が突出せず、一呼吸を置いて出てくることがあり、釣り人に違和感を感じさせるものであった。このような現象が起こる原因として考えられることは、手元側筒状体が移動力を中間筒状体に伝達しても、中間筒状体の尻端が開口状態にあるところから、その前進移動力が小径側の筒状体に瞬時には伝達されず、小径筒状体は自己の慣性力で一瞬間だけは停止状態を維持している。その一瞬間が過ぎると小径筒状体も手元側筒状体の尻栓による前進移動力を受けて移動することになる。
一方、魚を釣り上げた後に、一方の手で釣り竿を支持しながら他方の手で玉の柄を操作し、玉網で魚を掬い取った後に魚を手元近くに持って来た場合に、玉の柄の各筒状体を収縮状態に切り換えるために、魚を収納した玉網を上にしてその自重を利用して収縮状態に切り換えることとすることがある。
この場合に、一番筒状体１や二番目に小径の筒状体２Ａ等の小径の筒状体が、三番筒状体２Ｂや四番筒状体２Ｃ等の大径側筒状体に対して手元側筒状体４内に先行して落下した場合には、その後に、三番筒状体２Ｂや四番筒状体２Ｃ等の大径側筒状体２が落下すると、大径側筒状体２は、手元側筒状体４の内周面と小径の筒状体１の外周面との間の空間内に落下する必要があり、その際に大径側筒状体２の先端や尻端と小径の筒状体の尻端とが衝突する状態で接触することがあり、その大径側筒状体や小径の筒状体の尻端等が損傷して筒状体の一部が剥離を起こすことがある。
図５では、二番筒状体２Ａが三番筒状体２Ｂに先行して、五番筒状体２Ｄとともに落下した状態を示している。
【０００５】
本発明の目的は、振出操作に伴って中間筒状体を間なく飛び出させて、釣り人に違和感を感じさせないものとするとともに、一番竿等の小径側の筒状体が手元側筒状体内に先行して落下することを阻止して、筒状体の剥離現象を阻止することのできる玉の柄を提供する点にある。
【課題を解決するための手段】
【０００６】
〔構成〕
請求項１に係る発明の特徴構成は、小径の一番筒状体、中間径の中間筒状体、及び、大径の手元側筒状体を振出操作自在に装備するとともに、前記中間筒状体の筒状体尻端に中子栓を設けてある点にあり、その作用効果は次の通りである。
【０００７】
〔作用〕
つまり、玉の柄の各筒状体を伸長状態に切り換える為に、手元側筒状体を竿の軸線に沿って振り操作を行って各中間筒状体や一番筒状体を手元側筒状体から振り出す操作を行うと、大径側の筒状体の中子栓で、その大径側の筒状体に収納されている小径側の筒状体の尻端を押し出し移動させることになり、一番筒状体や中間筒状体が一呼吸を置いて出てくることがなくなり、釣り人の違和感を解消することができた。
【０００８】
〔効果〕
このように中間筒状体に中子栓を設けるだけの簡単な構造の追加だけで、上記したような、釣り人が違和感を感じることの少ない快適な操作が可能となる玉の柄を提供できるに至った。
【０００９】
請求項２に係る発明の特徴構成は、前記中間筒状体に対して伸長状態に嵌合保持されるとともに前記中間筒状体内に収納される状態に切換え可能な小径側の筒状体の尻端外径を基準にして、前記中間筒状体に備えられる中子栓に形成する水抜き孔の孔径を前記尻端外径より小さくしてある点にあり、その作用効果は次の通りである。
【００１０】
〔作用効果〕
つまり、請求項１に記載の効果を奏するもののために、中子栓を設けることは、有用であった。そして、このような中子栓に水抜き孔を形成することによって、竿内での水の滞留を阻止することができる。
ところで、この水抜き孔の孔径を大きく取りすぎると、従来技術の項で述べたように、魚を収納した玉網を上にしてその自重を利用して収縮状態に切り換えることとすると、小径側の筒状体が先行して落下する事態が起こり得る。
これに対して、小径側の筒状体の尻端外径を基準にして、前記中子栓に形成する水抜き孔の孔径を前記尻端外径より小さくしてあるので、前記小径側の筒状体は、前記中間筒状体内に落下するとしても、中子栓で受止られるので、少なくとも、小径側の筒状体が中間筒状体に先行して手元側筒状体内に落下することはない。
したがって、小径側の筒状体が手元側筒状体内に落下した後に大径側の筒状体が落下することがなく、前記した筒状体の尻端等の剥離現象が回避できる。
【００１１】
請求項３に係る発明の特徴構成は、前記中間筒状体が複数本装備されており、各中間筒状体に中子栓を備えてある点にあり、その作用効果は次の通りである。
【００１２】
〔作用効果〕
つまり、複数本の中間筒状体が装備する場合であっても、すべてに中子栓を装備しているので、各中間筒状体は中子栓で押されて瞬時に伸長状態に移動することになり、操作上の違和感は生じない。
しかも、中子栓に設けた水抜き孔の孔径は、前記小径側の筒状体を受け止めるだけの孔径に形成されているので、中間筒状体を複数本設けたものであっても、各中間筒状体及び小径筒状体は中子栓で受止られて、大径側の筒状体に先行して落下することはなく、尻端での剥離現象が抑えられる。
【発明を実施するための最良の形態】
【００１３】
振出式の玉の柄Ａについて説明する。
振出式の玉の柄Ａは、図１に示すように、玉網Ｂを装着可能な一番筒状体１と、二番筒状体２Ａ、及び、三番筒状体２Ｂ等の中間筒状体２、手元側筒状体４とを備えて、構成されている。一番筒状体１には口栓５を装備し、手元側筒状体４の筒状体尻端には尻栓６が設けてある。
玉の柄Ａは、一番筒状体１、二番筒状体２Ａ、三番筒状体２Ｂ等の中間筒状体２を手元側筒状体４内に収納する収縮状態と一番筒状体１、二番筒状体２Ａ、三番筒状体２Ｂ等の中間筒状体２を手元側筒状体４より引き出した伸長状態とに切換可能に構成されている。
【００１４】
一番筒状体1等の各筒状体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００１５】
口栓５はゴム製のものであり、アクリロニトリルーブタジエンゴム（ＮＢＲ）でできている。但し、このゴムに相当する硬度を有するものであれば、合成樹脂を材料とすることもできる。
【００１６】
玉の柄Ａは振出操作可能なものであるので、各筒状体を伸長させた使用状態から各筒状体を短縮させた状態とに切り換えられるものであるが、図２に示すように、収縮状態に設定すると、手元側筒状体４の筒状体先端開口が口栓５に外嵌し、その収縮状態を維持するようになっている。
【００１７】
手元側筒状体４の後端に設けてある尻栓６について説明する。図１及び図２に示すように、手元側筒状体４の後端に金属製の尻リング４Ａを設けるとともに、尻リング４Ａに尻栓６を螺着してある。尻栓６は、尻リング４Ａに螺着される金属製の尻栓本体６Ａとその尻栓本体６Ａに被着されるゴムカバー６Ｂとで構成してある。尻栓本体６Ａとゴムカバー６Ｂとに亘って水抜き孔６Ｃを設けてある。
【００１８】
次に、各中間筒状体２の筒状体尻端に設けるゴム製の中子栓３について説明する。中間筒状体２としては、図１及び図２に示すように、二番筒状体２Ａ、三番筒状体２Ｂ、四番筒状体２Ｃ、五番筒状体２Ｄを備えて構成するものを記載したが、これに限定されるものではない。
【００１９】
図２に示すように、二番筒状体２Ａの大径膨出部を形成した部分の内周面にネジ部を形成し、このネジ部に対して二番中子栓３Ａが螺着してある。二番中子栓３Ａの中心位置には水抜き孔３ａが設けてあり、この水抜き孔３ａの径は、一番筒状体１の後端部の外径よりは小さくしてある。
図２に示すように、三番筒状体２Ｂ、四番筒状体２Ｃ、五番筒状体２Ｄの各後端部にも、三番中子栓３Ｂ、四番中子栓３Ｃ、五番中子栓３Ｄが夫々装着されており、各中子栓３Ｂ、３Ｃ、３Ｄにも、水抜き孔３ｂ、３ｃ、３ｄが設けてある。
尚、一番竿１には中子栓は設けられてはいない。
【００２０】
図２に示すように、中間筒状体２と一番筒状体１とを手元側筒状体４内に収納した状態で、中子栓３Ａ等によって小径側の筒状体が大径側の筒状体の筒状体尻開口から抜出さない構成となっている。
以上のように、各中間筒状体２の後端に中子栓３Ａ等を設けているので、各中間筒状体２と一番筒状体１とを手元側筒状体４内に収納している状態から、海中の魚を掬い取る為に各筒状体１等を伸長状態に切り換えるべく、釣り人が手元側筒状体４を持ってその手元側筒状体４を強く前方に押し出した際に、手元側筒状体４の尻栓６と各中間筒状体２における大径側の中子栓３Ａとによって、小径側の中間筒状体２と一番筒状体１とが遅れなく手元側筒状体４から飛び出すことになり、引出し状態に切り換えられる。
【００２１】
請求項２に記載したように、前記中間筒状体２に対して伸長状態に嵌合保持されるとともに前記中間筒状体内に収納される状態に切換え可能な小径側の筒状体の尻端外径を基準にして、大径側の筒状体の前記中子栓３に形成する水抜き孔３ａの孔径を前記尻端外径より小さくしてある。
【００２２】
〔別実施の形態〕
中子栓３Ａ等の材質としては、図３に示すように、ＮＢＲ等のゴムが使用されるが、落下する小径側の筒状体を受け止めるために、筒状体の竿尻に螺着される本体部分３ｅは金属で形成し、本体部分３ｅの内側に小径側の筒状体を受け止めるためのゴム板３ｆや樹脂板を装着したものでもよい。
また、中子栓３Ａ等の材質としては、樹脂の表面にメッキ等を施したものでもよい。
【図面の簡単な説明】
【００２３】
【図１】玉の柄の全体斜視図
【図２】中間筒状体を手元側筒状体内に収納した状態を示す縦断側面図
【図３】中子栓の別実施構造を示す縦断側面図
【図４】中子栓を有していない従来の中間筒状体を手元側筒状体内に収納した状態を示す縦断側面図
【図５】魚を掬い上げた玉の柄を垂直姿勢にして、玉の柄を収縮状態に切り換える途中の状態を示す作用図
【符号の説明】
【００２４】
１              一番筒状体
２              中間筒状体
３              中子栓
４              手元側筒状体
３ａ            水抜き孔
【図１】
2006223182.tif 000003
【図２】
2006223182.tif 000004
【図３】
2006223182.tif 000005
【図４】
2006223182.tif 000006
【図５】
2006223182.tif 000007